(57)【特許請求の範囲】
【請求項１】
回路基板上に実装されるプッシュスイッチであって、
凹部を区画形成する壁部を有する絶縁性のケースと、
前記凹部内に配置された複数の固定電極と、
前記凹部内に配置され、前記複数の固定電極同士を導通状態とする第１の位置と当該導通状態を解除する第２の位置との間で変位可能とされている可動電極と、
前記ケースの第１の側に設けられ、外部からの押圧力によって移動して前記可動電極を前記第２の位置から前記第１の位置へ変位させる操作部材と、
前記複数の固定電極の一つと電気的に接続されており、前記回路基板上に設けられたランド部に半田付けされるために前記第１の側に露出する第１露出部を有する導電性部材とを備え、
前記第１露出部は、前記回路基板上に実装された状態において前記回路基板から離間する方向に延在する部分を有しており、
前記第１露出部は、前記第１の側における前記ケースの最外端部よりも内側に設けられている、プッシュスイッチ。
【請求項２】
前記導電性部材は、前記回路基板上に設けられたランド部に半田付けされるために前記第１の側と異なる前記ケースの第２の側において露出する第２露出部を有し、
前記第２露出部は、前記回路基板に実装された状態において前記回路基板と平行な向きに延在する部分を有している、請求項１に記載のプッシュスイッチ。
【請求項３】
前記第１露出部と前記第２露出部は一体構造をなしている、請求項２に記載のプッシュスイッチ。
【請求項４】
前記第２露出部は、前記回路基板に垂直な向きに延在する部分をさらに有する、請求項２または３に記載のプッシュスイッチ。
【請求項５】
前記導電性部材より前記操作部材の移動方向と非平行な向きに突出し、前記壁部に埋設されているアンカー部材をさらに備える、請求項１から４のいずれか一項に記載のプッシュスイッチ。
【発明の詳細な説明】
【技術分野】
【０００１】
本発明は、各種小型電子機器に使用されるスイッチに関し、特に回路基板上に実装され、当該回路基板と平行な向きに変位可能な操作部材を備えるプッシュスイッチに関する。
【背景技術】
【０００２】
この種のスイッチにおいては、回路基板上に実装された樹脂性のケースに凹部が形成されている。導電性部材がインサート成形等により当該ケースと一体とされており、当該導電性部材の一部が固定電極として当該凹部内に配置されている。当該凹部内にはさらに可動電極が配置されており、固定電極と接触する第１の位置と、離間する第２の位置との間で弾性変位可能とされている。
【０００３】
上記スイッチには操作部材が設けられている。スイッチが回路基板上に実装された状態において当該操作部材をユーザが押圧操作すると、操作部材は回路基板と平行な向きに移動して可動電極を第１の位置へ変位させ、固定電極との導通状態を得る。押圧力が解除されると、可動電極が第２の位置に弾性復帰して固定電極との導通状態が解除される（例えば特許文献１参照）。
【先行技術文献】
【特許文献】
【０００４】
【特許文献１】特開２０１０−１１８３３６号公報
【発明の概要】
【発明が解決しようとする課題】
【０００５】
上述のスイッチにおいては、固定電極と電気的に接続された外部接続端子がケースの高さ方向中程から水平方向に延在しており、回路基板上に設けられたランド部上に載置されて半田付けに供される。外部接続端子よりも下方に位置するケースの一部は、回路基板に形成された切欠き内に配置されて切欠きの端面に当接することにより、操作部材の押し込みにより実装後の半田付け部に加わるモーメント（ランド部から外部接続端子を剥離しようとする力）を抑制している。
【０００６】
しかしながら近年の電子機器の小型化に伴ってスイッチも小型化されるにつれ、ユーザの押圧力が半田付け部の構造強度に対して相対的に高くなっており、上記のような対策にも関わらず半田付け部の一部が破壊されて外部接続端子がランド部から剥離してしまうことがある。
【０００７】
本発明は上記課題を解決するためになされたものであり、小型化の要請に応えつつも、操作部材の押圧力に対する耐久性の向上を可能とするプッシュスイッチを提供することを目的とする。
【課題を解決するための手段】
【０００８】
上記課題を解決するために本発明が採り得る一態様は、回路基板上に実装されるプッシュスイッチであって、
凹部を区画形成する壁部を有する絶縁性のケースと、
前記凹部内に配置された複数の固定電極と、
前記凹部内に配置され、前記複数の固定電極同士を導通状態とする第１の位置と当該導通状態を解除する第２の位置との間で変位可能とされている可動電極と、
前記ケースの第１の側に設けられ、外部からの押圧力によって移動して前記可動電極を前記第２の位置から前記第１の位置へ変位させる操作部材と、
前記複数の固定電極の一つと電気的に接続されており、前記回路基板上に設けられたランド部に半田付けされるために前記第１の側に露出する第１露出部を有する導電性部材とを備え、
前記第１露出部は、前記回路基板上に実装された状態において前記回路基板から離間する方向に延在する部分を有している。
【０００９】
上記の構成によれば、半田が第１露出部に沿って回路基板から離間する方向に広がりつつ固化し、上記第１の側において半田フィレットを形成して固化する。半田フィレットは操作部材の移動方向に沿う向きに厚みを有するため、操作部材の押圧力により生ずるプッシュスイッチを回路基板から剥離しようとする力に耐える強度をもちうる。
【００１０】
前記導電性部材は、前記回路基板上に設けられたランド部に半田付けされるために前記第１の側と異なる前記ケースの第２の側において露出する第２露出部を有し、前記第２露出部は、前記回路基板に実装された状態において前記回路基板と平行な向きに延在する部分を有している構成としてもよい。この場合、ケースの回路基板と対向する側を半田によってより強固に回路基板上に保持することができる。
【００１１】
前記第１露出部と前記第２露出部が一体構造をなしている構成の場合、半田を介してこれらが固定されるランド部の面積を大きく確保することができる。したがって半田の接触面積が大きくなり、操作部材の押圧力に対するケースの回路基板からの耐剥離性をより高めることができる。
【００１２】
ここで「一体構造」とは、上記第１露出部と第２露出部の境界部が同一素材からなり、かつ連続している状態（モノリシックな状態）を指す。素材や特性の異なる二つ以上の部材を接着や溶着により一体とした構成とは区別する意味で用いる。
【００１３】
前記第２露出部は、前記回路基板に垂直な向きに延在する部分をさらに有する構成としてもよい。この場合、当該垂直方向に延在する部分を回路基板に形成された挿通孔に挿入したり、当該部分の側方にも半田フィレットを形成することが可能となり、操作部材の押圧力に対するケースの回路基板からの耐剥離性をさらに高めることができる。
【００１４】
前記第１露出部は、前記第１の側における前記ケースの最外端部よりも内側に設けられている構成としてもよい。この場合、半田フィレットの形成位置をケースの実装領域内に収めることができる。したがって第１露出部のランド部に対する十分な固定強度を確保しつつも、プッシュスイッチの実装面積増大を回避することができる。
【００１５】
前記導電性部材より前記操作部材の移動方向と非平行な向きに突出し、前記壁部に埋設されているアンカー部材をさらに備える構成としてもよい。この場合、特に回路基板と平行な向きの分力によりケースの一部が導電性部材から剥離されるのを食い止めることができる。
【発明の効果】
【００１６】
本発明によれば、小型化の要請に応えつつも、操作部材の押圧力に対する耐久性の向上を可能とするプッシュスイッチを提供することができる。
【図面の簡単な説明】
【００１７】
【図１】本発明の一実施形態に係るプッシュスイッチを上方より見た外観を示す斜視図である。
【図２】図１のプッシュスイッチの外観を示す５面図であり、（ａ）は上面図、（ｂ）は正面図、（ｃ）は底面図、（ｄ）は背面図、（ｅ）は右側面図である。
【図３】図１のプッシュスイッチの内部構成を示す分解斜視図である。
【図４】図１のプッシュスイッチにおける導電性部材の形状を示す斜視図である。
【図５】図１のプッシュスイッチを下方より見た外観を示す斜視図である。
【図６】図１のプッシュスイッチが回路基板上のランド部に半田付けされた状態を示す右側面図である。
【図７】図１のプッシュスイッチの変形例の外観を示す斜視図である。
【発明を実施するための形態】
【００１８】
添付の図面を参照しつつ、本発明の実施形態について以下詳細に説明する。なお以下の説明に用いる各図面では、各部材を認識可能な大きさとするために縮尺を適宜変更している。
【００１９】
図１は、本発明の一実施形態に係るプッシュスイッチ１を上方より見た外観を示す斜視図である。プッシュスイッチ１は、回路基板５０上に実装されるケース２を備えている。ケース２の上面にはカバー８が設置され、前方には操作部材７が設けられている。操作部材７は、ユーザによる押圧操作に応じて前後方向に変位可能とされている。
【００２０】
ケース２の左右側面には第１外部接続端子４ａおよび第２外部接続端子４ｂが設けられている。第１外部接続端子４ａおよび第２外部接続端子４ｂは、それぞれ回路基板５０の実装面上に形成された配線端子のランド部５０ｃおよびランド部５０ｄに半田付けによって接続・固定される。以降の説明においては、第１外部接続端子４ａおよび第２外部接続端子４ｂを必要に応じて「外部接続端子」と総称する。
【００２１】
図２は上記プッシュスイッチ１の外観を示す５面図であり、図３はプッシュスイッチ１の内部構成を示す分解斜視図である。図２において（ａ）は上面図、（ｂ）は正面図、（ｃ）は底面図、（ｄ）は背面図、（ｅ）は右側面図である。左側面から見た形状は右側面図に示したものと対称であるため、図示を省略している。
【００２２】
ケース２は樹脂等の絶縁性材料からなり、壁部によって上方に開口する凹部２ａが区画形成されている。凹部２ａの底部における周縁部には複数の第１固定電極３ａが配置されており、底部中央には複数の第２固定電極３ｂが配置されている。
【００２３】
可動電極５は、弾性変形が可能なドーム形状の導電性部材である。可動電極５は凹部２ａ内に収容され、その外縁部５ａが第１固定電極３ａと接触するように、かつ中央部５ｂが第２固定電極３ｂと間隔をあけて対向するように配置される。すなわち可動電極５は通常時において上側に凸とされている。
【００２４】
保護部材６は、ポリアミド樹脂等の絶縁性樹脂シート材であり、凹部２ａを覆うようにケース２の上面２ｂに載置され、接着剤等により固定される。保護部材６は凹部２ａへの異物の侵入を防止するとともに、後述する操作部材７と可動電極５の間に介在して緩衝材として機能する。
【００２５】
操作部材７は樹脂材等からなり、押圧部７ａ、支持部７ｂ、および操作部７ｃを備えている。操作部材７は保護部材６の上方に載置される。
【００２６】
カバー８は、金属板を打ち抜き折り曲げることにより形成されており、ケース２の上面２ｂ上に載置される本体８ａの前後縁より計４本の係止脚部８ｂが下方に延在している。本体８ａ中央の一部は切り欠かれて後方に向かって斜め下方に延在する案内片８ｃが形成されている。
【００２７】
係止脚部８ｂがケース２の前端面２ｃの側および後面２ｄの側の所定箇所に係止されることにより、カバー８がケース２に装着され、操作部材７の支持部７ｂおよび操作部７ｃがカバー８の本体８ａと保護部材６の間において前後方向に移動可能に保持される。操作部材７の押圧部７ａは、ケース２の前端面２ｃより前方に突出している。
【００２８】
図２に示すように、ケース２の下側における左右側部は基板対向面２ｇとされている。この基板対向面２ｇに挟まれた領域は下側に突出する基板挿入部２ｈとされている。図１に示すように、基板挿入部２ｈは回路基板５０の端面５０ａに形成された切欠き部５０ｂに挿入され、底面２ｉは回路基板５０の下面側に位置する。
【００２９】
図４は、プッシュスイッチ１の導通経路を形成するための第１導電性部材１１および第２導電性部材１２の外観を示す斜視図である。以降の説明においては、第１導電性部材１１および第２導電性部材１２を必要に応じて「導電性部材」と総称する。
【００３０】
導電性部材は金属板を打ち抜き折り曲げることにより形成され、更にインサート成形等を通じてケース２と一体成形されることにより、その一部がケース２に埋設されている。
【００３１】
第１導電性部材１１は左右方向に延在しており、中央部１１ａの左右両側に第１固定電極３ａが設けられている。また第１の導電性部材１１の左右両端部は第１外部接続端子４ａとされている。図３に示すように、第１固定電極３ａを含む部分１１ｂ（以降、電極形成部１１ｂと称する）はケース２の凹部２ａ内に配置され、第１外部接続端子４ａはケース２の左右側面２ｅ、２ｆにおいてケース２の外側に露出している。これら以外の部分１１ｃは、凹部２ａを区画形成する壁部に埋設されている。すなわち第１固定電極３ａと第１外部接続端子４ａは、埋設部分１１ｃを介して導通している。
【００３２】
第２導電性部材１２はＴ字形状を呈しており、左右方向に延在する部分の中央部１２ａより前方に延在する部分の前端部１２ｂに第２固定電極３ｂが設けられている（以降、電極形成部１２ｂと称する）。左右方向に延在する部分の両端は第２外部接続端子４ｂとされている。図３に示すように、第２固定電極３ｂを含む部分１２ｂはケース２の凹部２ａ内に配置され、第２外部接続端子４ｂはケース２の左右側面２ｅ、２ｆにおいてケース２の外側に露出している。これら以外の部分１２ｃは、凹部２ａを区画形成する壁部の内部に埋設されている。すなわち第２固定電極３ｂと第２外部接続端子４ｂは、埋設部分１２ｃを介して導通している。
【００３３】
第１導電性部材１１における左右の埋設部１１ｃの各前端縁１１ｄからは、屈曲片４ｃが前方に延出されている。各屈曲片４ｃは埋設部１１ｃと一体構造をなしており、第１導電性部材１１と共に金属板を打ち抜き折り曲げて容易に形成されうる。
【００３４】
ここで「一体構造」とは、屈曲片４ｃと埋設部１１ｃの境界部が同一素材からなり、かつ連続している状態（モノリシックな状態）を指す。以降の説明においては、この「一体構造」という語を、素材や特性の異なる二つ以上の部材を溶着や接着により一体とした構成とは区別する意味で用いる。
【００３５】
図５に示すように、ケース２の前面側（操作部材７の押圧部７ａが設けられている側）の左右両端部は、上側部分が前端面２ｃとされ、前端面２ｃの下端部は前後方向に延在する張出し端面２ｊに連続している。張出し端面２ｊの後端部は前方を向く傾斜端面２ｋに連続している。傾斜端面２ｋは後方に向かって斜め下方に延在し、その下端は基板対向面２ｇと同一面内に位置している。
【００３６】
第１導電性部材１１および第２導電性部材１２がケース２と一体成形されることにより、各々の下端面１１ｆおよび１２ｆが基板対向面２ｇに露出する。屈曲片４ｃの基端部４ｃ１は当該下端面１１ｆと同一面とされている。
【００３７】
図４および図５より明らかなように、屈曲片４ｃは斜め上方に延在し、先端部４ｃ３がケース２内に埋設される。屈曲片４ｃの前端面４ｃ２は、当該埋設される先端部４ｃ３を除いてケース２の傾斜端面２ｋにおいて露出し、前方を向いている。屈曲片４ｃの前端面４ｃ２とケース２の傾斜端面２ｋは同一面を形成している。
【００３８】
本実施形態のプッシュスイッチ１が回路基板５０上に載置された状態を図６に示す。上述のようにケース２の基板挿入部２ｈを回路基板５０に形成された切欠き部５０ｂに挿入することにより、基板対向面２ｇを挟んで前後に形成された基板載置面２ｍが回路基板５０の上面に載置される。この状態において基板対向面２ｇと回路基板５０の上面との間には僅かな隙間が形成されている。第１外部接続端子４ａおよび第２外部接続端子４ｂは、それぞれ回路基板５０の上面に形成された配線端子のランド部５０ｃおよび５０ｄに僅かな隙間を介して対向する。
【００３９】
この状態で半田付け処理が行なわれることにより、半田６０ａが第１外部接続端子４ａとランド部５０ｃの間に形成された隙間に流れ込み固化することによって、第１外部接続端子４ａがランド部５０ｃに固定されるとともに電気的に接続される。同様にして半田６０ｂが第２外部接続端子４ｂとランド部５０ｄの間に形成された隙間に流れ込み固化することによって、第１外部接続端子４ｂがランド部５０ｄに固定されるとともに電気的に接続される。
【００４０】
ランド部５０ｃはケース２の傾斜端面２ｋの前方で張出し端面２ｊと対向する位置まで延在している。そのため半田６０ａは傾斜端面２ｋにおいて露出する屈曲片４ｃの前端面４ｃ２に沿うように広がり、半田フィレット６０ｃを形成しつつ固化する。
【００４１】
ユーザが直接的あるいは間接的に操作部材７の押圧部７ａを後方に向けて押圧すると、支持部７ｂおよび操作部７ｃがケース８の下方で後方に摺動する。操作部７ｃが一定量後方に移動するとケース８の案内片８ｃの下面に当接する。案内片８ｃは斜め下方に傾斜しているため、操作部材７の操作部７ｃは下方へと案内されて保護部材６を介して可動電極５を押圧する。
【００４２】
可動電極５に加わる負荷が所定値を超えると、中央部５ｂがクリック感を伴って反転して下方に凸の状態になるとともに、第２固定電極３ｂに接触する。これに伴い、第１固定電極３ａと第２固定電極３ｂが可動電極５を介して導通状態となる。したがって第１固定電極３ａおよび第２固定電極３ｂは、各々少なくとも一つ設けられていればよい。
【００４３】
押圧力を解除すると、可動電極５の自己復元力（弾性）により中央部５ｂがクリック感を伴って元の状態（上方に凸の状態）に復帰し、第１固定電極３ａと第２固定電極３ｂの導通は解除される。操作部材７の操作部７ｃはケース８の案内片８ｃにより上方に向かって斜め上方に案内されて支持部７ｂが前方へ摺動し、押圧部７ａが元の位置に復帰する。
【００４４】
すなわち可動電極５は、第１固定電極３ａと第２固定電極３ｂを導通状態とする第１の位置と、当該導通状態を解除する第２の位置との間で変位可能とされている。操作部材７は、プッシュスイッチ１が回路基板５０に実装された状態において加えられる外部からの押圧力によって回路基板５０と平行な向きに移動し、可動電極５を第２の位置から第１の位置へ変位させる。
【００４５】
操作部材７を押圧する操作力は、回路基板５０と平行な向きの分力および回路基板５０から離れる向きの分力を生じ、プッシュスイッチ１を回路基板５０から剥離するように作用する。しかしながら第１導電性部材１１が備える屈曲片４ｃの前端面４ｃ２は、ランド部５０ｃに半田付けされるために、ケース２の傾斜端面２ｋにおいて操作部材７が設けられている側（本発明における第１の側）に露出し、回路基板５０から離間する方向に延在している。このため半田が屈曲片４ｃの前端面４ｃ２に沿って回路基板５０から離間する方向に広がりつつ固化し、上記第１の側において半田フィレット６０ｃを形成して固化する。すなわち前端面４ｃ２は、本発明における第１露出部として機能する。
【００４６】
屈曲片４ｃの前端面４ｃ２に沿って形成される半田フィレット６０ｃは操作部材７の移動方向Ａに沿う向きに厚みを有しているため、操作部材７の押圧力により生ずるプッシュスイッチ１を回路基板５０から剥離しようとする力に耐える強度をもちうる。これにより操作部材７の押圧力に対する耐久性の高いプッシュスイッチ１を提供することができる。
【００４７】
屈曲片４ｃの前端面４ｃ２とは異なる側（本発明における第２の側）であるケース２の基板対向面２ｇにおいて、第１導電性部材１１の下端面１１ｆが半田付けに供されるために露出しており、回路基板５０と平行な向きに延在している。このためケース２の回路基板５０と対向する側を半田によってより強固に回路基板５０上に保持することができる。すなわち第１導電性部材１１の下端面１１ｆは、本発明の第２露出部として機能する。
【００４８】
また屈曲片４ｃの前端面４ｃ２と第１導電性部材１１の下端面１１ｆは一体構造をなしているため、半田６０ａを介してこれらが固定されるランド部５０ｃの面積を大きく確保することができる。したがって半田の接触面積が大きくなり、操作部材７の押圧力に対するケース２の回路基板５０からの耐剥離性をより高めることができる。
【００４９】
屈曲片４ｃの前端面４ｃ２が露出しているケース２の傾斜端面２ｋは、ケース２における操作部材７が設けられている側の最外端部である前端面２ｃよりも内側に設けられている。これにより屈曲片４ｃの前端面４ｃ２に沿って形成される半田フィレット６０ｃをケース２の張出し端面２ｊの下方に収めることができる。したがって屈曲片４ｃの前端面４ｃ２のランド部５０ｃに対する十分な固定強度を確保しつつも、プッシュスイッチ１の実装面積増大を回避することができる。
【００５０】
図４に示すように、第１導電性部材１１は複数のアンカー部材１３を備えている。各アンカー部材１３は、埋設部１１ｃの前側縁１１ｄおよび後側縁１１ｅより上方に突出している。各アンカー部材１３は埋設部１１ｃと一体構造をなしており、第１導電性部材１１と共に金属板を打ち抜き折り曲げて容易に形成されうる。
【００５１】
操作部材７を押圧する操作力により生ずる回路基板５０から離れる向きの分力は、ケース２の一部を第１導電性部材１１から剥離するように作用する。しかしながらアンカー部材１３が第１導電性部材１１より操作部材７の移動方向Ａ（図６参照）と非平行な向きに突出し、ケース２の凹部２ａを区画形成する壁部に埋設されているため、上記の分力によりケース２の一部が導電性部材から剥離されるのを食い止めることができる。
【００５２】
さらに第２導電性部材１２は、電極形成部１２ｂより操作部材７の移動方向と非平行な向きに突出し、ケース２の凹部２ａを区画形成する壁部に埋設された複数のアンカー部材１４を備えている。このアンカー部材１４により、特に回路基板５０と平行な向きの分力により第２導電部材１２がケース２の一部から剥離されるのを食い止めることができる。
【００５３】
各アンカー部材１４は、電極形成部１２ｂの側縁１２ｅより斜め下方に突出している。各アンカー部材１４は電極形成部１２ｂと一体構造をなしており、第２導電性部材１２と共に金属板を打ち抜き折り曲げて容易に形成されうる。
【００５４】
次に図７を参照しつつ、上記実施形態の変形例に係るプッシュスイッチ１Ａについて説明する。本変形例においては外部接続端子の形状が上記実施形態と異なっている。それ以外の構成は上記実施形態と同様であるため、繰返しとなる説明は割愛する。
【００５５】
第１導電性部材１１を介して第１固定電極３ａと導通している第１外部接続端子２４ａは、ケース２の左右側面２ｅ、２ｆの外側に露出し、下方に屈曲している。第１外部接続端子２４ａは回路基板５０の実装面に形成された配線端子に接続する挿通孔５０ｅに挿入され、半田付けにより固定される。第１外部接続端子２４ａの先端が挿通孔５０ｅに挿入されることにより強い固定強度を確保することができ、操作部材７の押圧力に対するケース２の回路基板５０からの耐剥離性をさらに高めることができる。
【００５６】
第２導電性部材１２を介して第２固定電極３ｂと導通している第２外部接続端子２４ｂは、ケース２の左右側面２ｅ、２ｆの外側に露出し、上方に屈曲している。第２外部接続端子２４ｂは実装面上に形成された配線端子のランド５０ｄに半田付けによって接続される。これにより第２外部接続端子２４ｂの側方にも半田フィレットを形成されて高い固定強度を確保することが可能となり、操作部材７の押圧力に対するケース２の回路基板５０からの耐剥離性をさらに高めることができる。
【００５７】
第１外部接続端子２４ａは、第２外部接続端子２４ｂのように上方に屈曲し、ランド部５０ｄに接続される形状としてもよい。第２外部接続端子２４ｂは、第１外部接続端子２４ａのように下方に屈曲し、回路基板５０の挿通孔５０ｅに挿入される形状としてもよい。また第１外部接続端子２４ａと第２外部接続端子の一方は、上記実施形態の外部接続端子のように屈曲することなく回路基板５０と平行に延在する部分のみからなる形状としてもよい。
【００５８】
上記の実施形態は本発明の理解を容易にするためのものであって、本発明を限定するものではない。本発明は、その趣旨を逸脱することなく変更・改良され得ると共に、本発明にはその等価物が含まれることは勿論である。
【００５９】
屈曲片４ｃの前端面４ｃ２（第１露出部）と第１導電性部材１１の下端面１１ｆ（第２露出部）が一体構造をなし、共通のランド部５０ｃに接続される必要はない。これらがケース２の基板対向面２ｇにより分離されており、各々が回路基板５０上に形成された別々のランド部に半田付けされる構成としてもよい。
【００６０】
第１導電性部材１１の下端面１１ｆがケース２の基板対向面２ｇにおいて露出し、これらが同一面を形成している必要はない。操作部材７が設けられている側とは異なるケース２の左右側面２ｅ、２ｆにおいて外部接続端子の下端面として露出している構成としてもよい。
【００６１】
第１導電性部材１１および第２導電性部材１２の下端面１１ｆ、１２ｆの少なくとも一方に対向する位置にのみ回路基板５０のランド部５０ｃ、５０ｄを設け、半田付けにより接続・固定される構成としてもよい。この場合、ケース２の側方において露出する外部接続端子を省略することができ、実装面積の縮小に寄与する。
【００６２】
上記の実施形態においては、回路基板５０に形成した切欠き部５０ｂに基板挿入部２ｈを挿入してプッシュスイッチ１を回路基板５０上に固定する構成とされている。しかしながら、基板挿入部２ｈは必ずしも設けることを要しない。すなわちケース２の基板載置面２ｍが実質的にケース２の底面とされている構成としてもよい。
【００６３】
この場合においても、外部接続端子の各々は上記に記載の各形状を採用することができ、また外部接続端子を省略してケース２の基板対向面２ｇに露出した導電性部材の一部を配線回路との接続に用いる構成とすることができる。
【００６４】
屈曲片４ｃの前端面４ｃ２が露出しているケース２の傾斜端面２ｋの上端は、必ずしも張出し端面２ｊの後端に連続していることを要しない。半田フィレット６０ｃが形成されるスペースを回路基板５０の前端面５０ａ近傍に確保しうるのならば、傾斜端面２ｋの上端が前端面２ｃの下端に連続していてもよい。また傾斜端面２ｋ自体がケース２の前端面を形成し、傾斜端面２ｋの上端がケース２の最外端部となる構成としてもよい。
【００６５】
操作部材７の移動により導通状態と非導通状態が切り替えられるものであれば、導電性部材の数、形状、および配置は、設計上の要請に応じて適宜定められるものであり、上記の構成に限定されるものではない。アンカー部材１３、１４の数、形状、突出方向、および配置は、導電性部材におけるこれらの条件に応じて適宜決定される。
【００６６】
上記の説明における「上下」「左右」「前後」に係る表現は、図面を参照した説明において便宜上用いたに過ぎず、製品の使用時における方向を限定する意図ではない。「上方」および「下方」は、各々「回路基板から離間する方向」および「回路基板に接近する方向」と言い換えることができる。同様に「前後方向」および「左右方向」という表現は、「回路基板に平行な向き」と言い換えることができる。
【符号の説明】
【００６７】
１：プッシュスイッチ、２：ケース、２ａ：凹部、２ｃ：前端面、２ｅ：右側面、２ｆ：左側面、２ｇ：基板対向面、２ｋ：傾斜端面、３ａ：第１固定電極、３ｂ：第２固定電極、４ａ：第１外部接続端子、４ｂ：第２外部接続端子、４ｃ：屈曲片、４ｃ２：前端面（第１露出部）、５：可動電極、７：操作部材、１１：第１導電性部材、１１ｆ：下端面（第２露出部）、１２：第２導電性部材、１３：アンカー部材、１４：アンカー部材、５０：回路基板、６０ａ：半田、６０ｃ：半田フィレット
【図１】
0005906703.tif 000002
【図２】
0005906703.tif 000003
【図３】
0005906703.tif 000004
【図４】
0005906703.tif 000005
【図５】
0005906703.tif 000006
【図６】
0005906703.tif 000007
【図７】
0005906703.tif 000008